(57)【要約】【課題】育苗建屋は、発芽室や緑化室に熱風機からの温風を送って、発芽や育苗管理を行わせるもので、広い床面を要するが、このような育苗建屋を拡張することなく有効に利用して、栽培規模の比較的小さい大豆の乾燥を効率的、経済的に行わせようとする。【解決手段】熱風機１に通じる温風ピット２を配置した出芽乃至緑化用育苗施設の育苗建屋３内に、大豆を収容して乾燥させる乾燥箱４と、これら熱風機１から乾燥箱４へ温風送風するためのメインダクト５とを配置し、このメインダクト５の入口６は前記温風ピット２に開閉可能に設けられるピット口７に連結し、このメインダクト５に配置のダクト口８と乾燥箱４との間を各々サブダクト９で連結する育苗施設利用の大豆乾燥装置の構成。【選択図】図１
2004205078.tif 000002
【特許請求の範囲】
【請求項１】
熱風機１に通じる温風ピット２を配置した出芽乃至緑化用育苗施設の育苗建屋３内に、大豆等の穀物を収容して乾燥させる乾燥箱４と、上記熱風機１から乾燥箱４へ温風送風するためのメインダクト５とを配置し、このメインダクト５の入口６は前記温風ピット２に開閉可能に設けられるピット口７に連結し、このメインダクト５に配置のダクト口８と乾燥箱４との間を各々サブダクト９で連結することを特徴とする育苗施設利用の大豆等穀物乾燥装置。
【請求項２】
熱風機１に通じる温風ピット２を配置した発芽乃至緑化用育苗施設の育苗建屋３内に、大豆等の穀物を収容して乾燥させる複数の乾燥箱４と、これら熱風機１から各乾燥箱４へ温風送風するメインダクト５と等を配置して乾燥可能とすると共に、穀物調製する調製設備を備えた調製建屋１０を前記育苗建屋３に隣接して配置し、この穀物調製設備の荷受ホッパー１１を、前記育苗建屋３の出入口１２の近傍に設け、出荷部１３をこの出入口１２から離間する側に設けたことを特徴とする育苗施設利用の大豆等穀物乾燥装置。
【請求項３】
前記育苗建屋３の外壁１４を内側壁１５と外側壁１６との二重壁構成とし、この内側壁１５と外側壁１６との間の壁間隔部１７に前記メインダクト５を設けたことを特徴とする請求項１、又は２に記載の育苗施設利用の大豆等穀物乾燥装置。
【発明の詳細な説明】
【０００１】
【発明の属する技術分野】
この発明は、育苗施設を利用して大豆等の穀物を乾燥する育苗施設利用の大豆等穀物乾燥装置に関する。
【０００２】
【従来の技術】
育苗建屋内の一部に、穀物乾燥箱を設置して、育苗用のヒータ（熱風機）、又は太陽熱を用いて穀物乾燥する技術（例えば、特許文献１、２参照）が知られている。
【０００３】
【特許文献１】
特開２００２ー９８４７８号公報（第４頁、図８）。
【０００４】
【特許文献２】
実用新案登録第２５４０６３５号公報（第１頁、図１）。
【０００５】
【発明が解決しようとする課題】
育苗建屋は、発芽室や緑化室に熱風機からの温風を送って、発芽や育苗管理を行わせるもので、広い床面を要する。しかも、この育苗建屋を利用して穀物乾燥できるようにするためには、更に広い床面積に拡大することとなる。又育苗建屋は熱風機による高温管理だけではなく、多湿状態に管理されるため、この育苗建屋内に穀物乾燥機が常設状態におかれるときは、機械類の故障や傷みが著しく、実施上現実的でない。そこで、この発明は、このような育苗建屋を拡張することなく有効に利用して、栽培規模の比較的小さい穀物、例えば大豆の乾燥を効率的、経済的に行わせようとするものである。しかも、乾燥箱等の寿命を長く維持させるものである。
【０００６】
【課題を解決するための手段】
請求項１に記載の発明は、熱風機１に通じる温風ピット２を配置した出芽乃至緑化用育苗施設の育苗建屋３内に、大豆等の穀物を収容して乾燥させる乾燥箱４と、上記熱風機１から乾燥箱４へ温風送風するためのメインダクト５とを配置し、このメインダクト５の入口６は前記温風ピット２に開閉可能に設けられるピット口７に連結し、このメインダクト５に配置のダクト口８と乾燥箱４との間を各々サブダクト９で連結することを特徴とする育苗施設利用の大豆等穀物乾燥装置の構成とする。
【０００７】
育苗時期の育苗建屋３での育苗作業中は、発芽育苗箱を積栽した発芽台車や、緑化育苗箱乃至緑化台車、育苗箱等を並べて、熱風機１から温風を温風ピット２を経て供給することにより、これら発芽室や緑化室を加温管理しながら発芽乃至緑化育苗する。大豆収穫時期の育苗建屋３では、床面上の発芽台車、緑化台車、空苗箱等を取除いて、この跡の育苗建屋３床面上にメインダクト５と乾燥箱４を載置する。このメインダクト５の入口は、床面のピット口７を開けて連結すると共に、このメインダクト５のダクト口８と乾燥箱４との間をサブダクト９で連結する。この状態で熱風機１を駆動して温風を送風すると、温風ピット２のピット口７からメインダクト５へ送風され、各ダクト口８及びサブダクト９を経て乾燥箱４へ温風が送風されて、この乾燥箱４内に収容される大豆等の穀物を乾燥することができる。又、この穀物乾燥が終った床跡では、これら各乾燥箱４やメインダクト５、及びサブダクト９等を取外して、育苗建屋３外へ取出すことができる。又、ピット口７は口蓋等で閉鎖することができる。
【０００８】
請求項２に記載の発明は、熱風機１に通じる温風ピット２を配置した発芽乃至緑化用育苗施設の育苗建屋３内に、大豆等の穀物を収容して乾燥させる複数の乾燥箱４と、これら熱風機１から各乾燥箱４へ温風送風するメインダクト５と等を配置して乾燥可能とすると共に、穀物調製する調製設備を備えた調製建屋１０を前記育苗建屋３に隣接して配置し、この穀物調製設備の荷受ホッパー１１を、前記育苗建屋３の出入口１２の近傍に設け、出荷部１３をこの出入口１２から離間する側に設けたことを特徴とする育苗施設利用の大豆等穀物乾燥装置の構成とする。
【０００９】
大豆等穀物の乾燥を行うときは、育苗建屋３内の育苗関係の台車や苗箱等に代えてメインダクト５や乾燥箱４等を配置して、熱風機１を駆動して温風をメインダクト５等を経て各乾燥箱４へ送風して穀物乾燥作用を行わせる。この乾燥箱４で乾燥された穀物は、この育苗建屋３の出入口１２から隣接の調整建屋１０へ移されて荷受ホッパー１１へ供給される。この荷受ホッパー１１に供給された穀物は選別等の調製作用を受けて出荷部１３へ取出されて製品として出荷される。乾燥穀物は出入口１２を介して隣接の調製建屋１０内の荷受ホッパー１１へ搬入されるため、搬入距離を短くすることができ、しかもこの調製建屋１０の出荷部１３はこの出入口１２から遠く離れた位置にあるため、この出荷部１３への出荷ラインが出入口１２を通る運搬ラインと交差することが少く、作業性を迅速、容易にできる。
【００１０】
請求項３に記載の発明は、前記育苗建屋３の外壁１４を内側壁１５と外側壁１６との二重壁構成とし、この内側壁１５と外側壁１６との間の壁間隔部１７に前記メインダクト５を設けたことを特徴とするものである。育苗建屋３内の育苗関係の台車や育苗箱等に代えて乾燥箱４等を配置して、外壁１４内に形成のメインダクト５のダクト口８と乾燥箱４とをサブダクト９で連結して、熱風機１の駆動で温風をメインダクト９へ送って、各サブダクト９から乾燥室４へ送風して穀物乾燥作用を行わせる。
【００１１】
【発明の効果】
請求項１に記載の発明は、大豆等の穀物を乾燥するときは、育苗建屋３内の育苗関係の台車等を除去した床跡面に、メインダクト５や乾燥箱４等を入替え配置して、このメインダクト５の入口６をピット口７に連結することによって、育苗建屋３内をそっくり乾燥作業室とすることができ、育苗建屋３内を拡張することなく有効利用できる。しかも、育苗建屋３内では、比較的小型で床置形態の乾燥箱４とメインダクト５、及びサブダクト９等と、発芽乃至縁化台車や育苗箱等との入替え作業を行ったり、床面の温風ピット２を利用して、このピット口７にメインダクト５の入口６を連結することにより、簡単な構成、操作でこれら温風ピット２や熱風機１等を共用することができ、育苗施設と乾燥施設との相互切替を簡単、容易に行うことができる。
【００１２】
請求項２に記載の発明は、乾燥された大豆等穀物の選別等の調製を行う調製建屋１０が育苗建屋３とは区画された別の建屋として設けられるために、調製設備としての機械や装置等が常設されていても、育苗時の高温多湿を受けることがなく、機器の維持管理を良好にすることができる。しかも、乾燥箱４で乾燥された穀物を出入口１２を経て隣接の調整建屋１０の供給ホッパー１１へ運搬して供給するため、この運搬供給における運搬距離を短くして、この運搬ラインは出荷部１３からの出荷ラインとの交差をなくして、能率的、効率的な作業を行うことができる。即ち、狭い育苗建屋３内面積を有効に利用しながら穀物乾燥作業を円滑に行うことができ、しかも、この調節建屋１０内の機器類の維持保全をも効果的に行うことができる。
【００１３】
請求項３に記載の発明は、育苗建屋３で育苗作用時は熱風機１の駆動による温風は、床面に沿う温風ピット２を経て各発芽台車や緑化台車等の底部に送風され、大豆乾燥作用時は外壁１４内の壁間隔部１７のメインダクト５を経て各乾燥箱４に送風されるもので、いずれの作業においても外壁１４が二重壁形態であるため、断熱効果を発揮させ得て育苗建屋３内の加温効率乃至温度管理を良くすることができる。しかも、穀物乾燥時は壁間隔部１７にメインダクト５が常設されているために、育苗建屋３内にメインダクト５を設置することなくこのダクト口８にサブダクト９を連結するだけで、育苗作業と乾燥作業との切替えを簡単、容易に行うことができる。
【００１４】
【発明の実施の形態】
この発明の実施の形態を図面に基づいて説明する。先ず、図１〜図６において、同じ敷地内に育苗のための育苗建屋３と穀物としての大豆の調製を行う調製建屋１０とが接近して並設される。この育苗建屋３は、苗箱１９に播種作業する播種室２５と、この苗箱１９で発芽させる発芽室２７と、及びこの発芽した育苗箱（苗箱）１９を積替える積替室３０とに仕切られる発芽棟と、この発芽棟からの育苗箱１９の供給を受けて緑化する緑化室３４を構成の緑化棟とを配置する。
【００１５】
この播種室２５は、コンベア１８を床面上に設置して、これによって搬送する方形状の苗箱１９に土詰装置２０で床土を充填し、この苗箱１９の床土に播種機２１で播種し、この播種された苗箱１９を段積装置２２で発芽台車２３に多段に積載する一連の播種装置２４が配置構成される。発芽室２７は、床面２６下に一連の溝形態の温風ピット２を配置して熱風機１から熱風を案内すると共に、この温風ピット２上に置かれる発芽台車２３に向けて温風を送風することができる。又、積替室３０は、この発芽室２７で発芽された発芽台車２３の育苗箱１９を緑化育苗するための緑化台車２８へ積替える積替装置２９を配置したものである。更に、この発芽棟に連接の緑化棟の緑化室３４は、この積替室３０から移動される緑化台車２８を収容し、床面３１上に並べて緑化育苗させる構成としている。この床面３１下には、前記発芽室２７と略同様に、温風ピット３２を配置形成して、熱風機３３から送られる温風を案内して、この温風ピット３２上側に沿って並べられる緑化台車２８の底部に向けて送風することができる。
【００１６】
これらの育苗建屋３の発芽棟では、外周壁を構成する外壁１４と、この内側を仕切る仕切壁３５と、ドア等で開閉可能の外壁１４の出入口３６，３８と、仕切壁３５の出入口１２，３７とを有する。播種室２５と発芽室２７との間を仕切る仕切壁３５には出入口３７が形成され、発芽室２７と積替室３０との間を仕切る仕切壁３５には出入口１２が形成される。又、この発芽室２７は仕切壁３９によって左右二室に仕切られている。図例では、この二室のうち片側の発芽室２７を大豆乾燥用の乾燥機室として利用している。
【００１７】
この発芽室２７を乾燥機室とするときは、熱風機１の設置位置に近い側の温風ピット２の発芽室２７内部にはピット蓋４０を有したピット口７が敷設されていて、このピット蓋４０を開くことによってメインダクト５の入口６をピット口７に連結することができる。床面２６の温風ピット２の上面は、チェッカプレート４１が敷設閉鎖されていて、温風吹出の必要個所のみ開くことができる形態としている。このピット口７は、温風ピット２の始端部で熱風機１から吹出された直近位置に設けられ、フランジ管４２がチェッカプレート４１にボルト４３締めで取付けられて、床面２６上に適宜高さに突出されている。ピット蓋４０はこのフランジ管４２に嵌合される。温風ピット２はこのピット口７の形成される部分から縦、横方向へ分岐形成されるが、この分岐部には開閉可能のシャッタ４４を設けて、乾燥箱４を据付けるときは、各シャッタを閉鎖して各分岐の温風ピット２へは送風させないでピット口７からメインダクト５側へのみ送風させて、乾燥箱４への温風送風効果を良くするように構成することもできる。
【００１８】
このピット口７の位置する外壁１４部側を縦方向に沿ってメインダクト５を設置し、これと対向する側に各乾燥箱４を配置する。このメインダクト５は円形断面乃至方形断面形態で単位長さのメインダクト５を連結して床面２６上に据付け固定する。このメインダクト５には横側にダクト口８が各乾燥箱４の設置間隔毎に形成される。乾燥箱４は、発芽室２７に出し入れし易い大きさに構成するもので、方形箱形状で底部に送風筒乃至送風室４７を形成して、この送風室４７上には網棚４８を形成して大豆を収容しうる乾燥槽４９を構成する。送風室の一側にはモータで駆動される送風フアン４５を有した送風口４６が設けられ、この送風フアン４５を駆動してメインダクト５から送られる温風を乾燥槽４９へ吹き込んで大豆を乾燥できる。これらメインダクト５のダクト口８と乾燥箱４の送風口４６との間をサブダクト９で連結する。このサブダクト９は蛇腹ホースからなり、両端をダクト口８や送風口４６に形成のフランジ管に嵌合させて、外周からホースバンド５０で締め付けて固定できる。
【００１９】
このような発芽室２７を利用して設置された乾燥箱４には、収穫された大豆が乾燥槽４９に収容されて、熱風機１からの温風が前記温風ピット２のピット口７部や、メインダクト５、サブダクト９等を経て送風されて乾燥される。この乾燥した排風は一旦発芽室２７内に排出されて、この発芽室２７内の室温を高めて、乾燥効果を高く維持する。このため発芽室２７や緑化室３４内に乾燥箱４等を設置して大豆乾燥機室とするときは、図３で示すように、これら乾燥箱４やダクト５、９等の外周部を覆うように保温シート５１を設けて、乾燥機室５２を二重室形態とすることもできる。とくに、緑化室３４を乾燥機室とするときは、外壁１４や屋根等が全面乃至一部がガラス製として日照透過製を良くしているため、夜間は冷え易いものであるから、前記二重室形態として夜間の保温効果を高めることができる。
【００２０】
前記調製建屋１０は、緑化棟の横側に配置されて、内部には大豆の供給を受ける荷受ホッパー１１、この荷受ホッパー１１から供給される大豆を風力選別して異物や塵埃等を除去する風力選別装置５３、この選別された大豆を受けて比重選別により屑粒を選別排除する比重選別装置５４、この比重選別装置５４で選別された整粒を受けて転動させながら粒形選別する転選装置５５、この選別された大豆を粒径別に選別する粒径選別装置５６と各粒径別大豆を収容するタンク５７、及び粒色別に選別する粒色選別装置５８と各粒色別大豆を収容する製品タンク５９等が配置される。この調製建屋１０内の荷受ホッパー１１は、前記発芽室２７の出入口１２に近い側に設けられ、ドアを有して開閉される出入口６０が設けられる。これに対して製品タンク５９から取り出される大豆を計量袋詰めして出荷する出荷部１３は、前記荷受ホッパー１１から離れた側に配置されて、ドアを有して開閉される出荷口６１も該出入口６０から離間した位置に設けられる。
【００２１】
収穫された大豆は屋外に取り出されている各乾燥箱４の乾燥槽４９内に供給収容される。この大豆を収容した乾燥箱４は、フォークリフトで掬い上げられて積替室３０の出入口３８と発芽室２７の出入口１２とを通る入荷ラインＡを経て、発芽室２７内の床面２６上所定位置に載置して並べられる。ここで各乾燥箱４の送風口４６にはサブダクト９が連結されて乾燥形態とされる。乾燥後は各乾燥箱４のサブダクト９との連結を外して、乾燥箱４をフォークリフトで掬い上げ、前記出入口１２、３８から一旦育苗建屋３外に出たのち、調製建屋１０の出入口６０を通る運搬ラインＢを経て、荷受ホッパー１１上に位置させて乾燥槽４９内の乾燥大豆を流下供給させる。このため、これら発芽室２７の出入口１２と調製建屋１０の出入口６０との間は、フォークリフトが度々往復することとなる。又、この調製建屋１０で選別調製されて出荷部１３に取り出された大豆製品は、フォークリフト等によって出荷口６１から建屋外へ通る出荷ラインＣを経て搬出される。この出荷口６１を通る出荷ラインＣは、前記発芽室２７側の運搬ラインＢとは接近乃至交差しないため、大豆の搬入、搬出を迅速、円滑に行うことができ、作業を安全に維持できる。
【００２２】
なお、前記発芽室２７の乾燥箱４に対する大豆の供給は、この乾燥箱４自体の搬入、搬出によって行うようにしたが、これに代えて乾燥箱４の本体で、例えば送風フアン４５や送風室４７等は据付位置に置いたままの状態で、この上部の網棚４８部を有した乾燥槽４９部のみを大豆収容のコンテナとして取扱いできるようにして、このコンテナを用いて大豆の収容、排出を行わせるように、又、フォークリフトによって運搬できるようにする。更には、大豆を収容するメッシュ袋を前記の乾燥箱４に出し、入れして、大豆をメッシュ袋に収容したままの状態で乾燥することもできる。このような場合はこれらの大豆コンテナや、大豆袋等を出し入れするとき、床面２６のサブダクト９が邪魔になるため、このサブダクト９をダクト口８や送風口４６等から一旦取外しておくことにより、フォークリフトの通る通路幅を広くすることができる。
【００２３】
次に、主として図７に基づいて上例と異なる点は、前記乾燥機室となる発芽室２７の外壁１４を内側壁１５と外側壁１６との二重壁形態として、これらの壁１５、１６間に所定の壁間隔部１７を形成して、この壁間隔部１７を前記メインダクト５とするか、又は、この壁間隔部１７内にメインダクト５を設けるものである。この形態では壁間隔部１７の底部に温風ピット２のピット口７が連通される構成で、内側壁１５に前記ダクト口７が設けられる。この外壁１４が二重壁形態であるため内側の発芽室２７乃至乾燥機室は断熱効果が高く、熱風機１の温風発生効率を高く維持することができる。とくに、この壁間隔部１７に温風を通して乾燥機室の乾燥箱４へ送風するときは、乾燥機室内の温度を高く維持し易くして効率の良い大豆乾燥を行わせることができる。
【００２４】
次に、図８〜図１１に基づいて、定置形態で大形の大豆乾燥槽の組立て構成を説明する。乾燥槽６６の底枠６２（図１１）をスノコ形態として、この底枠６２を下面等に形成のフランジ６３を、架枠６４（図１０）上や槽枠６７に形成のフランジ６５に合わせて、ボルト締めで取付け固定する（図８）もので、据付現場での組立てを簡単、迅速化するものである。この底枠６２の上面には通風可能の網板を敷設して、乾燥槽のスイープフロアとしての底板を構成している。この架枠６４の外周部には槽枠６７（図８）が立設されて、各上に槽枠６７間に渡って波形状の壁板６８（図９）をボルト締め等で取り付けて、乾燥槽を構成する。
【００２５】
前記底枠６２を支持する架枠６４は平面方形状に形成されて、中央部には乾燥大豆を流出しうる排出口６９を形成する。この排出口６９の周囲にフランジ６５を配置形成する。槽枠６７はこの架枠６４の外周部に配置されて、架枠６４と共に設置床面７０に取付け支持される。この槽枠６７の上部と下部には、各架枠６４間を縦、横方向に囲桁状に連結する連結枠７１、７２が設けられ、この下側の連結枠７２に底枠６２の外周部を受けると共に、このフランジ６３を取付けるためのフランジ６５が配置される。この連結枠７２は前記架枠６４よりも高位置に設けられて、これらの上側に設けられる底枠６２は、周囲が高く中央部の排出口６９部が低くなるように角錐状の傾斜構成とされる。このため底枠６２は平面三角形状の三角縁枠７３と、この内側の縦桟７４と横桟７５とで一体構成される。四組みの三角状底枠６２を角錐状に組み合わせて各槽の底枠６２を構成する。
【００２６】
前記底枠６２の上面には同じ三角形態の網枠がビス止め等によって固定される。又、槽枠６７間には壁板６６がビス止め等によって取付けられる。
次に、図１２に基づいて説明すると、符号７６は大豆を搬送するベルトコンベアであり、このコンベア７６上に、大豆の搬送を検出する搬送センサ７７を設ける場合、左右両側に搬送大豆を中央部へ寄せる案内側板７８を設け、案内側板７８間の最も狭い絞り路部７９に搬送センサ７７を設ける。このベルトコンベア７６を搬送される大豆が少ない場合でも、絞り路部７９に案内される大豆層は厚くなり、搬送センサ７７により正確な搬送検出を行うことができる。８０はベルトコンベア７６の搬送下面を支持するガイドローラ、８１は返り面を支持するし次ローラである。８２はコンベアフレームで、該搬送センサ７７や案内側板７８等が取付けられる。
【００２７】
このようなベルトコンベア７６は、前記各乾燥槽６６底部の排出口６９の下方に渡って設けられて、これら乾燥槽６６から排出される大豆を受けて搬送し、乾燥済みの大豆を搬出したり、各乾燥槽６６間での大豆の入替えを行う等の搬送処理に利用される。又、図例での案内側板７８は前後対称形態に構成して、ベルトコンベア７６の往、復いずれの搬送行程においても搬送センサ７７が作用し易くしている。
【図面の簡単な説明】
【図１】育苗建屋の平面図。
【図２】その一部の側面図。
【図３】その正面図。
【図４】その一部の側面図と、一部の拡大図。
【図５】その一部の背面図。
【図６】育苗建屋の全面配置図。
【図７】一部別実施例を示す育苗建屋の正断面図。
【図８】定置形大豆乾燥槽機枠部の斜視図。
【図９】その乾燥槽の斜視図。
【図１０】その架枠部の斜視図。
【図１１】その底枠部の斜視図。
【図１２】その搬送センサ部の正面図と、平面図。
【符号の説明】
１    熱風機
２    温風ピット
３    育苗建屋
４    乾燥箱
５    メインダクト
６    入口
７    ピット口
８    ダクト口
９    サブダクト
１０    調製建屋
１１    荷受ホッパー
１２    出入口
１３    出荷部
１４    外壁
１５    内側壁
１６    外側壁
１７    壁間隔部
【図１】
2004205078.tif 000003
【図２】
2004205078.tif 000004
【図３】
2004205078.tif 000005
【図４】
2004205078.tif 000006
【図５】
2004205078.tif 000007
【図６】
2004205078.tif 000008
【図７】
2004205078.tif 000009
【図８】
2004205078.tif 000010
【図９】
2004205078.tif 000011
【図１０】
2004205078.tif 000012
【図１１】
2004205078.tif 000013
【図１２】
2004205078.tif 000014